(57)【要約】  光学スキャニング装置における温度変化は、この装置によって行われる測定に影響を及ぼすことがある。本発明では、装置の温度を制御しかつこの装置の温度変化を補償するためのさまざまな手法が示されている。
2021502562.tif 000002
【特許請求の範囲】
【請求項１】
座標データを測定するハンドヘルド型光学スキャニング装置であって、前記ハンドヘルド型光学スキャニング装置は、
測定対象の対象体の部分を光のパターンで照明するように構成されたプロジェクタと、
前記プロジェクタによって照明された前記対象体の前記部分の画像を取り込むように構成された１つ以上のカメラと、
１つ以上の位置において前記ハンドヘルド型光学スキャニング装置の温度を測定するように構成された温度センサと、
ファンと、
前記温度センサおよび前記ファンと通信しかつ少なくとも、前記温度センサからのデータに基づいて前記ファンを制御するように構成された少なくとも１つのプロセッサとを有する、ハンドヘルド型光学スキャニング装置。
【請求項２】
さらに、複数のファンを有する、請求項１記載のハンドヘルド型光学スキャニング装置。
【請求項３】
さらに、前記光学スキャニング装置における空間的な温度変化を示すように、互いに十分な間隔で離隔された複数の温度センサを有する、請求項２記載のハンドヘルド型光学スキャニング装置。
【請求項４】
少なくとも１つの前記プロセッサが、少なくとも２つの温度センサからのデータに少なくとも基づいて、少なくとも２つのファンを個別に制御するように構成されている、請求項３記載のハンドヘルド型光学スキャニング装置。
【請求項５】
前記ハンドヘルド型光学スキャニング装置は、防塵かつ防水の筐体を有する、請求項１から４までのいずれか１項記載のハンドヘルド型光学スキャニング装置。
【請求項６】
さらに、前記ファンによって熱交換器を介して空気流が押し出されるように構成された少なくとも１つの熱交換器を有する、請求項１から請求項５までのいずれか１項記載のハンドヘルド型光学スキャニング装置。
【請求項７】
さらに、カメラおよび前記プロジェクタのうちの少なくとも１つと、前記熱交換器とを熱的に接続する少なくとも１つのヒートパイプを有しており、少なくとも１つの前記ヒートパイプは、気化して熱源から前記熱交換器に熱を伝達しかつ前記熱交換器において凝縮して流体に戻る流体を有する、請求項６記載のハンドヘルド型光学スキャニング装置。
【請求項８】
前記ファンの前記制御では、比例積分微分制御システムが使用される、請求項１から７までのいずれか１項記載のハンドヘルド型光学スキャニング装置。
【請求項９】
前記ファンは、前記ハンドヘルド型光学スキャニング装置の後方を向いた部分から空気流を内部に押し込み、前記ハンドヘルド型光学スキャニング装置の後方を向いた部分に向かって外部に空気を押し出す、請求項１から８までのいずれか１項記載のハンドヘルド型光学スキャニング装置。
【請求項１０】
さらに、ピストル型グリップハンドルを有する、請求項１から９までのいずれか１項記載のハンドヘルド型光学スキャニング装置。
【請求項１１】
ハンドヘルド型光学スキャニング装置の温度を制御する方法であって、
前記光学スキャニング装置は、測定対象の対象体の部分を光のパターンで照明するプロジェクタと、前記プロジェクタによって照明される前記対象体の前記部分の画像を取り込む１つ以上のカメラとを使用して、前記対象体における幾何学座標を測定するように構成されており、
前記方法は、
１つ以上の位置において前記ハンドヘルド型光学スキャニング装置の温度を測定するステップと、
少なくとも前記測定温度にしたがって、前記ハンドヘルド型光学スキャニング装置の実質的に一定の温度を維持するようにファンを動作させるステップとを有する、ハンドヘルド型光学スキャニング装置の温度を制御する方法。
【請求項１２】
温度を測定する前記ステップでは、２つ以上の位置において前記温度を測定し、
ファンを動作させる前記ステップでは、少なくとも、２つ以上の前記位置における前記測定温度にしたがって、２つ以上のファンを個別に動作させる、請求項１１記載の方法。
【請求項１３】
２つ以上の前記位置は、前記光学スキャニング装置における空間的な温度変化を示すために十分に離隔されている、請求項１２記載の方法。
【請求項１４】
比例積分微分制御システムにしたがって前記ファンを動作させる、請求項１１から１３までのいずれか１項記載の方法。
【請求項１５】
三角測量を使用して前記幾何学座標を測定する、請求項１１から１４までのいずれか１項記載の方法。
【請求項１６】
座標データを測定するハンドヘルド型光学スキャニング装置であって、前記ハンドヘルド型光学スキャニング装置は、
光のパターンで測定対象の対象体の部分を照明するように構成されたプロジェクタと、
前記プロジェクタによって照明された前記対象体の前記部分の画像を取り込むように構成された１つ以上のカメラと、
１つ以上の熱交換器と、
前記プロジェクタおよび１つ以上の前記カメラのうちの少なくとも１つを少なくとも１つの前記熱交換器に熱的に接続する少なくとも１つのヒートパイプとを有し、
少なくとも１つの前記ヒートパイプは、気化して熱源から前記熱交換器に熱を伝達しかつ前記熱交換器において凝縮して流体に戻る流体を有する、ハンドヘルド型光学スキャニング装置。
【請求項１７】
前記ハンドヘルド型光学スキャニング装置は、防塵かつ防水の筐体を有する、請求項１６項記載のハンドヘルド型光学スキャニング装置。
【請求項１８】
さらに、１つ以上の前記カメラによって収集した、少なくとも、前記プロジェクタからの光に基づいて、対象体における幾何学座標を特定するように構成されたプロセッサを有する、請求項１６または１７記載のハンドヘルド型光学スキャニング装置。
【請求項１９】
前記プロセッサは、ヒートパイプにより、１つ以上の前記熱交換器のうちの少なくとも１つに熱的に接続されている、請求項１８記載のハンドヘルド型光学スキャニング装置。
【請求項２０】
さらに、２つ以上の熱交換器と、少なくとも２つのヒートパイプとを有しており、前記ヒートパイプは、前記プロジェクタと、１つ以上の前記カメラのうちの少なくとも１つとをそれぞれ別の２つの熱交換器に熱的に接続する、請求項１６から１９までのいずれか１項記載のハンドヘルド型光学スキャニング装置。
【請求項２１】
さらに、ピストル型グリップハンドルを有する、請求項１６から２０までのいずれか１項記載のハンドヘルド型光学スキャニング装置。
【請求項２２】
前記光学スキャニング装置の熱状態にしたがい、光学スキャニング装置による座標データの測定を制御する方法であって、
前記光学スキャニング装置が実質的に熱平衡状態外にある場合には、座標データの測定に前記光学スキャニング装置を使用せず、
前記光学スキャニング装置が実質的に熱平衡状態内にある場合には、前記光学スキャニング装置が、座標データを測定できるようにする、
方法。
【請求項２３】
さらに、１つ以上の位置において前記ハンドヘルド型光学スキャニング装置の温度を定期的に測定し、
少なくとも前記測定温度を使用して、前記光学スキャニング装置が実質的に熱平衡状態外にあることを判定し、
少なくとも前記測定温度を使用して、前記光学スキャニング装置が実質的に熱平衡状態内にあることを判定する、
請求項２２記載の方法。
【請求項２４】
さらに、少なくとも前記測定温度に基づいて、前記装置の現在の熱状態をユーザに表示する、請求項２３記載の方法。
【請求項２５】
さらに、前記熱状態をユーザが認識した後、前記光学スキャニング装置に座標データの測定を許可する、請求項２４記載の方法。
【請求項２６】
さらに、前記装置が実質的に熱平衡状態内になるまでの推定時間をユーザに表示する、請求項２４または２５記載の方法。
【請求項２７】
さらに、少なくとも前記測定温度に基づいて、測定した座標データを調整する、請求項２３から２６までのいずれか１項記載の方法。
【請求項２８】
前記温度が１分間の間、安定したままである場合に、前記光学スキャニング装置は実質的に熱平衡状態内にある、請求項２３から２７までのいずれか１項記載の方法。
【請求項２９】
前記光学スキャニング装置が、電源オンされるかまたはスリープモードからウェイクアップした後、そうでなければ座標データの測定の準備が整った後、あらかじめ設定された期間の間、前記光学装置が熱平衡状態外にあるとみなす、請求項２２から２８までのいずれか１項記載の方法。
【請求項３０】
あらかじめ設定された前記期間は、少なくとも１分である、請求項２９記載の方法。
【請求項３１】
あらかじめ設定された前記期間は、少なくとも、熱平衡状態に達するまでの予想時間に基づく、請求項２９または３０記載の方法。
【請求項３２】
あらかじめ設定された前記期間は、少なくとも、前記装置の初期温度に基づく、請求項２９から３１までのいずれか１項記載の方法。
【請求項３３】
ハンドヘルド型光学スキャニング装置を使用して座標データを測定し、温度変動を補償するために測定した座標データを調整する方法であって、
前記ハンドヘルド型光学スキャニング装置におけるプロジェクタにより、測定対象の対象体に光のパターンを投影し、
前記ハンドヘルド型光学スキャニング装置における１つ以上のカメラにより、前記光のパターンを有する前記対象体を画像化し、
前記ハンドヘルド型光学スキャニング装置における１つ以上の位置において前記ハンドヘルド型光学スキャニング装置の温度を測定し、
少なくとも、１つ以上の前記カメラからの画像および前記測定温度に基づいて前記対象体における幾何学座標を測定する、
方法。
【請求項３４】
温度の測定では、前記ハンドヘルド型光学スキャニング装置における２つ以上の位置において、前記ハンドヘルド型スキャニング装置の温度を測定する、請求項３３記載の方法。
【請求項３５】
温度の測定では、前記ハンドヘルド型光学スキャニング装置における４つ以上の位置において、前記ハンドヘルド型スキャニング装置の温度を測定する、請求項３４記載の方法。
【請求項３６】
さらに、前記座標データと、対応する測定温度との両方を格納する、請求項３３から３５までのいずれか１項記載の方法。
【請求項３７】
前記対象体における幾何学座標の測定はまた、前記測定温度と実質的に同様の温度において、前に測定した幾何学座標に少なくとも基づく、請求項３３から３６までのいずれか１項記載の方法。
【請求項３８】
光学スキャニングシステムであって、前記光学スキャニングシステムは、
ハンドヘルド型光学スキャニング装置を有し、前記ハンドヘルド型光学スキャニング装置は、
光のパターンで測定対象の対象体の部分を照明するように構成されたプロジェクタと、
前記プロジェクタによって照明された前記対象体の前記部分の画像を取り込むように構成された１つ以上のカメラと、
取付け部とを有し、
前記光学スキャニングシステムはさらに、
前記ハンドヘルド型光学スキャニング装置の前記取付け部と電気的かつ物理的な接続を形成し、かつ前記ハンドヘルド型光学スキャニング装置に電力を供給しかつデータ転送機能を提供するように構成された取付け部を有する加温クレードルを有し、
前記光学スキャニング装置は、前記加温クレードルに接続されている間、周囲温度を上回る温度に前記光学スキャニング装置の温度が上昇するように構成されている、光学スキャニングシステム。
【請求項３９】
前記物理的な接続には、運動力学的な取り付けが含まれる、請求項３８に記載の光学スキャニングシステム。
【請求項４０】
前記光学スキャニング装置は、前記加温クレードルに接続される場合に、測定状態から離れるようにその動作状態を変更するように構成されている、請求項３８または３９記載の光学スキャニングシステム。
【請求項４１】
前記加温クレードルは、前記光学スキャニング装置を持ち上げるように構成されている、請求項３８から４０までのいずれか１項記載の光学スキャニングシステム。
【請求項４２】
前記加温クレードルは、前記光学スキャニング装置に効率的に熱を伝達するために前記光学スキャニング装置との熱的な接続を形成する、請求項３８から４１までのいずれか１項記載の光学スキャニングシステム。
【発明の詳細な説明】
【技術分野】
【０００１】
任意の優先権出願に対する参照による引用
本願と共に提出されるアプリケーションデータシートにおいて、外国または国内優先権の特許請求の範囲が識別される任意およびすべての出願は、３７ＣＦＲ１．５７のもとで、参照によってここに組み込まれるものである。
【０００２】
背景技術
本発明は、幾何学座標を測定する光学装置などの光学スキャニング装置に関する。
【０００３】
関連する技術の説明
光学スキャニング装置には、一般に、対象体における幾何学座標を特定するために視覚データを収集する光学センサが含まれている。例えば、スキャニング装置には、視野が重なる２つの光学センサが含まれていてよい。これらの２つのセンサからのデータは、次に重畳領域内の点の座標を特定するために比較可能である。光学スキャニング装置にはまた、レーザまたはプロジェクタなどの光源が含まれていてよい。この光源は、線、点群または別のパターンなどの光のパターンを測定対象の対象体に発することができる。次にこのパターンは、例えば三角測量を使用して、２つの画像の間の対応する点の識別を容易にすることが可能である。座標を特定する別の技術も考えられ得る。例えば、２つの光学センサは、光源がなくても動作可能であり、単一の光学センサは、１つの光源と共に動作可能であり、３つ以上のカメラは、光源の有無にかかわりなく動作可能である。
【０００４】
光学スキャニング装置は、単独で使用可能であるか、または光学スキャニング装置の位置の特定をアシストする別の装置と共に使用可能である。例えば、光学スキャニング装置は、多関節アーム式座標測定機械に取り付け可能であるか、またはその位置は、レーザ追跡装置と、光学スキャニング装置に取り付けられたレトロリフレクタとを使用して追跡可能である。このようなシステムの例は、例えば、米国特許出願公開第２０１６／００８４６３３号明細書に説明されており、この明細書は、その全体が引用によってここに組み込まれるものである。
【０００５】
概要
一実施態様において、座標データを測定するハンドヘルド型光学スキャニング装置には、プロジェクタと、１つ以上のカメラと、温度センサと、ファンと、プロセッサとが含まれている。プロジェクタは、測定対象の対象体の部分を光のパターンで照明するように構成可能であり、１つ以上のカメラは、プロジェクタによって照明された対象体の部分の画像を取り込むように構成可能である。温度センサは、１つ以上の位置においてハンドヘルド型光学スキャニング装置の温度を測定するように構成可能である。プロセッサは、温度センサおよびファンと通信可能でありかつ少なくとも温度センサからの少なくともデータに基づいてファンを制御するように構成可能である。
【０００６】
別の一実施態様では、ハンドヘルド型光学スキャニング装置の温度を制御する方法が規定可能である。光学スキャニング装置は、測定対象の対象体の部分を光のパターンで照明するプロジェクタと、プロジェクタによって照明される対象体の部分の画像を取り込む１つ以上のカメラとを使用して、対象体における幾何学座標を測定するように構成可能である。ハンドヘルド型光学スキャニング装置の温度は、１つ以上の位置において測定可能である。次にファンは、少なくとも測定温度にしたがって、ハンドヘルド型光学スキャニング装置の実質的に一定の温度を維持するように動作させることが可能である。
【０００７】
別の一実施態様において、座標データを測定するハンドヘルド型光学スキャニング装置は、プロジェクタと、１つ以上のカメラと、少なくとも１つのヒートパイプとを有していてよい。プロジェクタは、光のパターンで測定対象の対象体の部分を照明するように構成可能である。対象体の部分の画像を取り込むように構成された１つ以上のカメラは、プロジェクタによって照明可能である。少なくとも１つのヒートパイプは、少なくとも１つのプロジェクタおよび１つ以上のカメラのうちの少なくとも１つを少なくとも１つの熱交換器に熱的に接続可能である。少なくとも１つのヒートパイプは、気化して熱源から熱交換器に熱を伝達しかつ熱交換器において凝縮して流体に戻る流体を有していてよい。
【０００８】
別の一実施態様では、光学スキャニング装置の熱状態にしたがい、光学スキャニング装置による座標データの測定を制御する方法が規定される。ハンドヘルド型光学スキャニング装置の温度は、１つ以上の位置において定期的に測定可能である。測定温度によって示されるように、光学スキャニング装置が実質的に熱平衡状態外にある場合には、座標データを測定するために光学スキャニング装置を使用しないようにすることが可能である。測定温度によって示されるように、この光学スキャニング装置が実質的に熱平衡状態内にある場合には、光学スキャニング装置は、座標データを測定できるようにすることが可能である。
【０００９】
別の一実施態様において、光学スキャニング装置の電源オンされた後、そうでなければ座標データの測定の準備が整った後のあらかじめ設定された期間の間、座標データを測定するために光学スキャニング装置を使用しないようにすることが可能である。
【００１０】
別の一実施態様では、ハンドヘルド型光学スキャニング装置を使用して座標データを測定し、温度変動を補償するために測定した座標データを調整する方法が規定される。光のパターンは、ハンドヘルド型光学スキャニング装置におけるプロジェクタにより、測定対象の対象体に投影可能である。光のパターンを有する対象体は、ハンドヘルド型光学スキャニング装置における１つ以上のカメラにより、画像化可能である。さらに、ハンドヘルド型光学スキャニング装置における１つ以上の位置においてハンドヘルド型光学スキャニング装置の温度を測定可能である。対象体における幾何学座標は、少なくとも、１つ以上のカメラから以上の画像および測定温度に基づいて特定可能である。
【００１１】
別の一実施態様において、光学スキャニングシステムには、ハンドヘルド型光学スキャニング装置と、加温クレードルとが含まれていてよい。ハンドヘルド型光学スキャニング装置には、プロジェクタと、１つ以上のカメラと、取付け部とが含まれていてよい。プロジェクタは、光のパターンで測定対象の対象体の部分を照明するように構成可能である。１つ以上のカメラは、プロジェクタによって照明された対象体の部分の画像を取り込むように構成可能である。加温クレードルはまた、取付け部を含んでいてよく、この取付け部は、ハンドヘルド型光学スキャニング装置の取付け部と電気的かつ物理的な接続を形成し、かつハンドヘルド型光学スキャニング装置に電力を供給しかつデータ転送機能を提供するように構成されている。光学スキャニング装置はまた、加温クレードルに接続されている間、周囲温度を上回る温度に光学スキャニング装置の温度が上昇するように構成可能である。
【００１２】
本発明の別の目的、機能および利点は、本発明の例示的な複数の実施形態を示す添付の図面に関連して、取り上げる以下の詳細な説明から明らかになろう。
【図面の簡単な説明】
【００１３】
【図１Ａ】光学スキャニング装置の前面の斜視図である。
【図１Ｂ】光学スキャニング装置の背面の斜視図である。
【図２】図１Ａおよび１Ｂの光学スキャニング装置の分解組立図である。
【図３】ハウジングの背面部を取り除いた、図１Ａおよび１Ｂの光学スキャニング装置の背面の斜視図である。
【図４】多関節アーム式座標測定機械に取り付けられた、図１Ａおよび１Ｂの光学スキャニング装置を示す図である。
【図５】測定温度に基づいて、幾何学座標を測定するアルゴリズムを示す図である。
【図６】測定温度にしたがって、ファンを動作させるアルゴリズムを示す図である。
【図７】光学スキャニング装置を使用しないようにするアルゴリズムを示す図である。
【図８】図１Ａおよび１Ｂの光学スキャニング装置の、時間に対する例示的な温度プロフィールである。
【図９Ａ】図１Ａおよび１Ｂの光学スキャニング装置を収容するように構成された加温クレードルの下面図である。
【図９Ｂ】図９Ａの加温クレードルの側面図である。
【図９Ｃ】図１Ａおよび１Ｂの光学スキャニング装置を収容する、図９Ａの加温クレードルの断面図である。
【００１４】
詳細な説明
光学スキャニング装置１００は、図１Ａおよび１Ｂにおいて、前面プレート１５および背面カバー１６を含むハウジングを備えたハンドヘルド型装置として示されている。このハウジングは、プラスチック、セラミック、（カーボンファイバ材料などの）複合材料、または（鋼またはアルミニウムなどの）金属などのさまざまな材料から形成可能である。この材料は、選択的には、小さな熱膨張係数を有するように選択可能であり、これにより、この装置は、通常の使用中には小さな温度変化によって形状を著しく変化させることはない。それにもかかわらず、ごくわずかな温度変化であっても、この装置における複数の測定要素間の間隔を増大または減少させる、コンポーネントの熱膨張などの、光学スキャニング装置１００の変化を生じさせることがある。したがって、材料は、通常の温度変化のもとで、この装置が（例えば、０．５ｍｍ以下の誤差の）高い測定精度を維持できるように選択可能である。
【００１５】
光学スキャニング装置１００はまた、このスキャニング装置の位置を測定可能な多関節アーム式座標測定機械またはレーザ追跡装置（例えばレーザ追跡装置と共に使用されるレトロリフレクタ）などの計測装置に、（例えば光学スキャニング装置が単独で使用される場合に）ピストル型グリップハンドルなどのハンドルに、加温クレードル５０に、またはその他のものにこの装置を取り付けるように構成された取付け部１８を含んでいてよい。図３に示したように、取付け部１８には孔が含まれており、この孔は、この孔を貫通する多関節アーム式座標測定機械のコンタクトプローブを収容可能である。したがって光学スキャニング装置１００は、アームに取り付けられている限り、コンタクトプローブに沿って使用可能である。この孔はまた、選択的にレトロリフレクタ、コンタクトプローブのないアーム、または他の装置も収容可能である。図４には、多関節アーム式座標測定機械の一方の端部に取り付けられておりかつピストル型グリップを有する光学スキャニング装置１００が示されている。
【００１６】
図３に最もよく図示されているように、取付け部１８にはまた、孔の周りに配置された３組のピン１９が含まれていてもよい。ピン１９は、多関節アーム式座標測定機械、レトロリフト装置、または別の装置における同様のサイズのスロットと相互作用して、一定の位置を有する運動力学的な取り付けを形成可能である。したがって光学装置１００と、これを取り付けることができるそれぞれの装置との校正は、これらが装着される毎にこれらの装置間の相対位置／相対方向が一定になるようにして一回、行えばよい。図示したように３組のピン１９は、孔の周りに半径方向に等間隔で配置されていてよい。しかしながら別の実施形態では、これらのピンは、別の形状を含めて、これとは別に配置するか、この図に示したのとは異なる個数を有することが可能である。
【００１７】
光学スキャニング装置１００は、オペレータが手でまたはツールを用いて計測装置に取り付け（および取り外し）可能である。例えば、光学スキャニング装置１００は、ピン１９が、計測装置における対応する構造と運動力学的な係合を形成するように計測装置に押し付け可能である。この装着は、スナップフィット、ねじ止め、手動ロックおよび他の接続を使用して確実に行うことが可能である。したがって光学スキャニング装置１００は、一定の位置に確実に取り付け可能である。同様の接続機構はまた、光学スキャニング装置１００の別の位置においても使用可能である。例えば、いくつかの実施形態では、装置１００は、取付け部１８に加えて装置の底部に接続のための機能を有し得る。
【００１８】
光学スキャニング装置１００はまた、データ伝送、電力伝送、またはＵＳＢ接続などを用いて行われるデータおよび電力の両方の伝送を可能にする電気的なインタフェースも有していてよい。図示した実施形態において、電気的なインタフェースは、取付け部１８を介して設けることが可能であり、これにより、電気的なインタフェースもまた、多関節アーム式座標測定機械または別の装置に取り付けられる場合にそれらの同様のインタフェースと容易に合わさることが可能である。
【００１９】
光学スキャニング装置１００の前面には、１つ以上の光学センサ１０および１つ以上の（プロジェクタなどの）光源１を設けることが可能である。例えば、いくつかの実施形態では、１つの光学センサおよび１つの光源、２つの光学センサ（かつ光源なし）、（図に示したように）２つの光学センサおよび１つの光源、または別の組み合わせが設けられていてよい。３つ以上の光学センサおよび光源が設けられる場合、これらは、同一直線上にないように配置可能である。さらに、図示したように、これらは選択的に一般に取付け部１８の反対側の面に配置可能である。このような配置において、光学スキャニング装置１００の重量は、選択的には、取付け部１８の周りに実質的に均等化することができ、取付け部１８は、状況によっては回転の中心としても使用可能である。したがって光学スキャニング装置１００は、手で容易に操作可能である。さらに、取付け部１８に接近して複数のコンポーネントを配置することにより、光学スキャニング装置１００の回転体体積を減少させることでき、これにより、この光学スキャニング装置１００は、より容易に小さな空間に到達可能である。
【００２０】
光学スキャニング装置１００には付加的に、光学スキャニング装置１００に取り付けられたプロセッサ９が含まれていてよい。プロセッサ９はまた、選択的には、光学スキャニング装置１００とは別体で含まれていてよく、有線または無線のデータ接続を介して光学スキャニング装置と通信する別体の計算装置などに含まれていてよい。このプロセッサはまた、選択的には、いくつかがスキャニング装置１００に、別のいくつかが装置とは別体で設けられている複数のコンポーネントを含んでいてよい。プロセッサ９は、光源によって照明されかつ光学センサによって捉えられる対象体の幾何学座標を特定するために、光源１を動作させ、光学センサ１０からのデータを収集することが可能である。例えば、光源１は、線、点群、または構造化された光パターンなどの別のいくつかのパターンで対象体を照明可能である。次に光学センサ１０は、（照明による）対象体の１つ以上の画像を収集し、プロセッサ９は、これらの画像を使用して、光学スキャニング装置１００に対して相対的に、対象体の幾何学座標を特定可能である。これらの幾何学座標は、（例えば、位置の異なる複数のセンサを用いて）三角測量法を使用して特定可能である。より具体的にいうと、２つの光学センサ１０を有する一実施形態において、プロセッサ９は、２つの光学センサによって供給される複数の画像において１つの点を識別可能である。これらの画像におけるこの点の位置は、それぞれの光学センサに対して相対的に、この点がどこに位置しているのかについて、それぞれのセンサ１０に対する相対的な角度を表すことができる。それぞれの光学センサ１０の位置および方向が互いに対して相対的に既知である場合、光学センサに対する相対的なこの点の正確な位置（角度および距離）を特定可能である。いくつかの実施形態において、この点は、光源１によって形成される照明点であってよい。
【００２１】
上述のように、光学スキャニング装置１００における温度変化は、さまざまなコンポーネントを膨張または収縮させることがあり、これによって光学センサ１０間の間隔が変化する。膨張および収縮はまた、互いに対して相対的に光学センサ１０の方向も変化させる。というのは、特にこの装置の一方の部分が他方の部分よりも大きく膨張または収縮した場合に、それらの角度が変動し得るからである。対象体における３次元の位置の測定は、光学センサ１０の相対角度および相対距離に極めて大きく影響されることがある。したがって、温度変化によって生じる大きさおよび形状における小さな変化は、光学スキャニング装置１００によって測定される位置を計算するために使用される場合、何倍にも拡大される。
【００２２】
光学スキャニング装置１００によって（光学スキャニング装置に対する相対位置で）複数の幾何学座標を測定した後、これらの幾何学座標は、次に、プロセッサ９により、固定座標系に変換可能であり、これには、例えば、多関節アーム式座標測定機械またはレーザ追跡器によって測定した光学スキャニング装置１００それ自体の特定された位置および方向が使用される。別の実施形態では、固定座標系内での光学スキャニング装置１００の位置および方向は、光学スキャニング装置１００が測定する同じ幾何学座標を使用して特定可能である。例えば、装置１００により、既知の位置を有する１つ以上のあらかじめ測定したマーカを含む領域が測定される場合、このマーカに対して相対的にこの装置の位置がわかる。同様に、装置１００により、前に測定した（装置が別の位置にある間に取得した）領域と重なる領域が測定される場合、この装置により、重なり領域における２組の測定値を比較し、これにより、（あらかじめ測定したマーカと同様の手法で前の測定値を使用して）前の測定値に対して相対的にその位置および方向を特定することができる。
【００２３】
光学スキャニング装置１００には付加的に、バッテリ、メモリ、有線または無線の通信装置、ディスプレイ、および別の機能などの独立した動作のための別の電子コンポーネントが含まれていてよい。いくつかの実施形態では、光学スキャニング装置１００が多関節アーム式座標測定機械などの別の計測装置から独立して使用される場合に、これらの付加的な電子コンポーネントのうちのいくつかの、またはすべての電子コンポーネントが、使用のために、別体のハンドルに含まれていてよい。
【００２４】
図２および３に示したように、光学スキャニング装置１００のコンポーネントは、ハウジングに取り付け可能であり、ハウジングの前面プレート１５など、または背面カバー１６のなどのハウジングの別の部分に取り付け可能である。図示したコンポーネントには、光源１（プロジェクタまたはレーザなど）と、この光源に熱接触する、対応する熱拡散プレート２とが含まれている。光源１に関連付けられている熱拡散プレート２はまた、光源／プレートから熱交換器５に熱を伝達するために配置されているヒートパイプ３に熱的に接続されている。プロセッサ９も図示されており、このプロセッサ９は、ヒートパイプを介して同様に熱交換器５に熱的に接続可能な別の熱拡散プレート４に熱接触している。（装置１００用のバッテリを含む）パワーボード８も図示されており、このパワーボード８も同様に、選択的には、熱拡散プレート７およびヒートパイプを介して熱交換器５に接続可能である。それぞれの熱交換器５は、ブラケット６に取り付けられた（カメラなどの）光学センサ１０に関連付けることが可能であり、これにより、それぞれの光学センサ１０も同様に熱交換器５に熱的に接続される。
【００２５】
図示のように、光源１とプロセッサ９とは、１つの熱交換器５に接続されているのに対し、パワーボード８は、別の１つの熱交換器に接続されている。さらに、それぞれの熱交換器５は、（例えば、隣接しかつ接触して）光学センサ１０に関連付けられており、スキャニング装置１００に対称に配置されている。こうすることにより、それぞれの熱交換器における熱負荷を実質的に均等化することができ、これにより、光学スキャニング装置１における温度分布を実質的に均一に保つことができ、熱をより効率的に放散することができる。しかしながら別の実施形態においてこの配置は変化してよい。例えば、いくつかの実施形態では、３つ以上の熱交換器を設けることが可能であり、光源１と、プロセッサ９とは異なる熱交換に接続可能であり、光学センサ１０は、熱交換器５に隣接しないことが可能である。また別の変化形態も可能である。
【００２６】
ヒートパイプ３には、熱源（光源１、プロセッサ９またはパワーボード８、または対応するそれらの熱拡散プレート２、４など）において気化可能な液体が含まれていてよい。気化したガスは、次に熱交換器に移動し、そこで凝縮されて液体に戻ることができ、熱を放出する。次に、凝縮された液体は、流れて熱源に戻ることが可能である。
【００２７】
光源スキャニング装置には付加的に、１つ以上の温度センサ１１が含まれていてよく、温度センサ１１は、スキャニング装置１００における空間的な温度変化を示すために、十分に離隔した位置において、光学スキャニング装置１の温度を特定するために使用可能である。図示のように、４つの温度センサ１１が含まれている。すなわち、装置の反対側の端部に２つ、また実質的に中央にかつ対称に配置された（取付け部１８の対向する面に、図３では別のコンポーネントによって見るのが妨げられている）２つの温度センサ１１が含まれている。しかしながら、光源１およびそれぞれの光学センサ１０などに付加的な温度センサが使用可能である（例えば結果的に温度センサは７つになる）。いくつかの実施形態では、例えば図５に図示したように、光学スキャニング装置１００によって生成された座標データを調整するために温度データを使用し、これにより、温度変動によって生じた変化を補正することが可能である。より詳細に上で説明したように、光のパターンは、対象体に投影可能であり（５０２）、対象体の画像およびパターンを収集可能である（５０３）。スキャニング装置１００の温度も測定可能である（５０１）。次に、温度および画像は、幾何学座標を測定するために使用可能である（５０４）。このプロセスは、校正データを使用することができ、この校正データは、（例えば、装置への影響がほぼ同じになる実質的に同様の温度における測定を含めて）さまざまな温度において測定値を採取しながらこの装置を使用して生成されるか、または測定したデータに温度変化が及ぼす影響の推定値と、熱膨張／収縮のもとでの光学スキャニング装置１００のモデルとを使用して生成される。この情報は、温度変化の特定のタイプが、測定した座標に影響をどのように及ぼすかを示すことができる。温度データはまた、選択的には（座標データに加えて）格納可能であり、これにより、温度変動に起因して損なわれ得る座標データにフラグを付ける（またはこれを補正する）ことができるようにするために、このデータが、後になってより複雑なアルゴリズムを使用して分析できるようにする。
【００２８】
温度センサ１１はまた、光学スキャニング装置１００に取り付けられた１つ以上のファン１３を動作させるためにも使用可能である。ファン１３は、熱交換器から周囲空気への熱交換を促進するために、実質的に熱交換器５に隣接して配置可能である。ファン１３はまた、軸方向に配置可能であり、また空気流を軸方向に、かつ光学スキャニング装置１００から後方に、熱交換器５を介して光学スキャニング装置から押し出す（空気を受け取って装置の背面に向かって空気を追い出す）ことができる。図６に示したように、温度センサ１１は、光学スキャニング装置１００の温度を測定する（６０１）ことができ、プロセッサ９にデータを供給し、次にプロセッサは、少なくともこのデータを使用してファン１３を制御可能である。この制御では、例えば、比例積分微分制御システムを使用して、実質的に一定の所望の温度を維持可能である（６０２）。複数の温度センサ１１はまた、複数のファン１３を個別に制御するために使用可能である。例えば、スキャニング装置１００の反対側に２つのファン１３があり、かつ温度センサにより、装置の一方の側が、装置の他方の側よりも暖かいことが示される場合、装置の冷たい側のファンよりもより強く冷却するために暖かい側のファンを起動可能である。このことは、空間的に不均一な温度によって生じる、光学センサ１０の相互の角度における変化を減少するのに役立つ。
【００２９】
周囲温度の変化に起因して、光学スキャニング装置１００は、さまざまな異なる温度において使用される可能性があり、この装置はまた、これらの温度で動作できる能力を有し得る。電子コンポーネントからの熱出力により、装置１００が温められ、複数のファン１３によってこの装置が冷却されることがあり得るが、これらのファン１３は、すべての周囲温度において、この装置を特定の温度に維持するのに十分でないこともあり得る。したがって上述のように、この装置は、（光学スキャニング装置１００におけるコンポーネントの熱膨張などの）温度によって生じる座標データの任意の変化を調整するために、温度データを使用するように構成可能である。
【００３０】
しかしながら、それでもなお、光学スキャニング装置１００が実質的に熱平衡状態にあるかまたは定めた温度範囲内にある場合にのみ、座標データを測定するのが好ましい、という可能性もある。熱平衡状態外または定めた温度範囲外で取得したデータは、最適以下の条件で取得したものとして記録可能であり、これにより、これらを後で、より厳しく調査することができる。この装置によって生成される熱は、空間的に不均一に分散され得るため、温度センサからのデータは（異なる位置に配置されているとしても）、装置全体にわたる温度分布を完全には表していない可能性がある。このことは、特に、装置が熱平衡状態にはない場合には真であることがあり、これにより、１つの部分が他の部分よりも不安定に熱く／冷たくなり得る。熱平衡状態中に温度を補償するために設計されたアルゴリズムは、これらの条件下では、座標データを十分に補正することはできない可能性がある。同様に、これらのようなアルゴリズムは、例えば、これらが、このような極端な温度について校正されていなかったために、定めた範囲外の温度を十分に補償することができない可能性がある。
【００３１】
したがっていくつかの実施形態では、光学スキャニング装置１００が、熱平衡状態にないか、または定めた温度範囲外にある場合、光学スキャニング装置１００が、座標データを測定しない（またはデータが最適以下の条件下で取得されたという指標と共にこのようなデータを記録する）ようにすることが可能である。熱平衡状態の判定は、判定の期間にわたり、温度センサによって温度を測定（７０１）し、温度センサからのデータを分析することによって行うことができ、これにより、（１分間にわたってなどの）短い期間にわたり、温度に大きな変化があったか否かが調べられ、この装置が熱平衡状態外にあることが示される（７０２）。この温度は定期的に（例えば、少なくとも秒当たり１回、５秒ごとに１回、または分当たりに１回）測定可能であり、温度の短期的な変化が検出されると、装置１００が、上記のようにデータを測定できないようにする（７０４）ことが可能である。温度データが、長期間にわたって実質的に安定した温度に達し、これにより、熱平衡状態に達したことが示されるように見える場合（例えば、温度が、１分間の間の安定したままであるかまたは一定の温度に向かって収束することが観測されるように見える場合）、図７に示したように、この装置は、座標測定値を正常であるとみなすことが可能である（７０３）。
【００３２】
多くの場合、光学スキャニング装置１００は、初期スイッチオン時または長期間にわたって使用されていなかった場合に熱平衡状態外になる。したがって装置１００は、熱平衡状態に達するまで、座標データの測定を行えない（またはこのような条件下で取得されたとしてデータを記録する）モードで開始可能である。さらに、この期間中、装置１００は、ファン１３または所望のように装置を冷却または加熱する電子コンポーネントを使用して、熱平衡状態の達成を促進するためのさまざまな温度制御機能を起動するように構成可能である。
【００３３】
さらに、いつかの実施形態において、光学スキャニング装置１００は、程度に応じて異なる仕方で、極端な温度または熱平衡状態の欠如に対応することが可能である。例えば、装置１００が、比較的緩慢な速度（例えば、分当たり摂氏２度未満、分当たり摂氏１度未満、または分当たり摂氏０．５度未満）で温度を変化させるか、または定めた範囲内（例えば、好適温度の摂氏２度以内、好適温度の摂氏５度以内、または好適温度の摂氏１０度以内）にある場合、装置は、このような最適以下の熱条件下で記録されたとして、測定した座標データを記録可能である。択一的には、定めた温度範囲外に装置がある（より極端な温度にあるかまたは温度がより高速に変化する）場合、この装置に、座標データを測定させないことが可能である。図８には、装置がスイッチオンされた時点０からスタートする、光学スキャニング装置１００についての例示的な温度プロフィールが示されている。図示のように、装置は、初期状態において、電子装置が電力を消費して熱を放出するのに伴って急速に熱しはじめ、この期間の間、選択的に、座標測定をしないことが可能である。装置の温度が安定化しはじめると、装置は、温度センサからのデータを使用して、温度変化の補償を試みることが可能であるが、また最適以下の条件下で測定されたとして、座標データを記録することも可能である。温度が安定化したように見えれば、通常のように測定を継続可能である。温度が安定化した後であっても、上記のように、温度センサからのデータは、温度における変化を補償するために使用可能である。例えば、装置１００の温度は、周囲温度が変化する場合に変化し続けることがあるが、このような変化（例えば、１５分当たりに摂氏１度未満）は、比較的予想可能に発生し、また装置全体にわたる温度分布でも発生し得る。
【００３４】
光学スキャニング装置１００はまた、選択的に、最適以下の測定条件であることについて、またこの条件の間、初期状態において測定をしなかったことを装置のユーザに警報可能であるが、この場合、ユーザが、条件を認識しかついずれにせよ座標の測定をしたいことを指示すれば、測定を許可することができる。例えば、いくつかの実施形態において、装置１００には、装置の熱状態（現在温度、装置が平衡状態外であること、熱すぎること、冷たすぎること、または他の条件など）を示すディスプレイが含まれていてよい。このディスプレイはまた、熱状態が、座標測定値を取得するための推奨範囲外である場合も示すことが可能である。ボタン、ダイヤル、スイッチまたはタッチスクリーンなどのユーザインタフェース装置により、最適以下の条件であることについての警報をユーザに無視させて、行われるべき座標の測定を許可することが可能である。このディスプレイはまた、熱状態が推奨範囲内になるまでの推定時間などの別の情報も供給可能である。
【００３５】
さらに、いくつかの実施形態では、熱平衡状態を判定するために測定温度データを使用するのではなく、装置は、この装置が電源オンされた後、またそうでなければ座標データを測定する準備が整った後のあらかじめ設定された期間の間、座標データの測定の許可を遅らせることができる。このあらかじめ設定された期間は、熱平衡状態に達するまでの予想時間をベースにすることが可能であり、この期間は、選択的には、装置の初期温度をベースにすることが可能である。いくつかの実施形態において、この期間は、少なくとも１分、少なくとも２分、少なくとも５分、または少なくとも１０分である。この機能はまた、装置がスリープモードからウェイクアップしたかまたはそうでなければ低パワーモードであった後、適用可能である。
【００３６】
光学スキャニング装置１００はまた、熱状態の維持に役立つ別の装置と組み合わせることが可能である。図９Ａ〜９Ｃには、装置の熱状態を維持するために光学スキャニング装置１００と係合可能な加温クレードル５０が示されている。図９Ｃに示したように、加温クレードル５０は、取付け部１８において光学スキャニング装置１００に係合可能である。したがって加温クレードル５０は、光学スキャニング装置１００と、電気接続、熱的な接続、および／または物理的な接続を形成可能である。電気接続により、加温クレードル５０は、光学スキャニング装置１００に電力を供給しかつデータ伝送機能を提供可能である。電力は、装置１００におけるバッテリを再充電可能であり、また所望の温度を維持するための十分な熱を装置１００が生成できるようにすることも可能である。熱的な接続は、加温クレードル５０が（加温クレードルによって生成されるかその他の箇所から受け取った）熱を、装置１００に（またはこの逆に）伝達できるようにすることが可能である。例えば、加温クレードル５０は、それ自体の熱生成または分配要素によって所望の温度に維持可能であり、これにより、装置１００は、接続されている間、その温度に向かって収束する傾向を有する。同様に、加温クレードル５０は、装置１００についての所望の温度よりも高い温度または低い温度に維持可能であり、これにより、装置は、所望の温度に向かってより急速に収束する。加温クレードル５０は、選択的に、熱伝導性材料または放射表面を含んでいてよく、これらは、装置１００における同様の伝導性または放射性の表面に接触するかまたは極めて近接することができ、連携して取り付けられた場合には２つの間での熱の伝達が促進される。付加的な物理的な接続により、加温クレードル５０と光学スキャニング装置１００との間の接続の安定性を改善することができ、また選択的には、ユーザによって保持されない場合には地面、テーブル、または他の表面から離してスキャニング装置を持ち上げることもできる。加温クレードル５０は付加的に、電力、データ伝送、熱伝導または別の機能を提供可能なケーブル５５を含んでいてよい。
【００３７】
光学スキャニング装置１００はまた、加温クレードル５０を認識可能である。例えば、加温クレードルは、この加温クレードルが、（電気接続を介して光学スキャニング装置と通信する、加温クレードル内のプロセッサを有するような）加温クレードルであることを示す電気信号を光学スキャニング装置１００に供給するように構成可能である。この場合に光学スキャニング装置１００におけるプロセッサは、このプロセッサが、例えば別の計測装置ではなく、加温クレードルに接続されていることを識別可能である。加温クレードルとのこの接続を識別すると直ちに、光学スキャニング装置１００は、選択的に、例えば光源１または光学センサ１０の機能を非アクティブ化または減少させ、プロセッサ９のリソースをデータの取得から、データの伝送、ソフトウェアの更新、または別のタスクにシフトさせ、組み込まれたディスプレイ上で利用可能な情報およびオプションを変更し、または別の変更を行うことにより、測定の動作状態から離れるようにその動作状態を変更可能である。
【００３８】
ユーザは、選択的に、使用の前に光学スキャニング装置１００を加温クレードル５０に装着可能である。光学スキャニング装置１００は、この接続を認識し、ウォーミングアップ、バッテリの再充電、データの伝送、および他のタスクを開始することが可能である。さらに、装置１００は、その熱状態、座標データの測定の準備が整うまでの推定時間（例えば、この装置が所望の温度範囲になるかまたは実質的に熱平衡状態になるまでの推定時間）、またはユーザに有益な別のデータをディスプレイに示すことができる。したがってユーザは、装置１００を使用する準備が整った場合、加温クレードルから装置１００を取り外すことができる。
【００３９】
ここで説明した方法およびシステムについての別の多くの変形形態は、本開示から明らかである。例えば、実施形態に応じて、ここで説明した任意のアルゴリズムの特定の動作、イベントまたは機能は、異なる順序で実行し、付加し、マージし、または全体として取り除くことが可能である（例えば、アルゴリズムの実施に、説明したすべての動作またはイベントは不要である）。さらに、特定の実施形態において、動作またはイベントは、順次ではなく、例えばマルチスレッド処理、割り込み処理、またはマルチプロセッサもしくはプロセッサコア、または別の並列アーキテクチャを介して、同時実行可能である。さらに、異なるタスクまたはプロセスは、連携した動作可能な異なるマシンおよび／または計算システムによって実行可能である。
【００４０】
ここで開示した複数の実施形態に関連して説明したさまざまなアルゴリズムステップは、電子的なハードウェア、コンピュータソフトウェア、または両者の組み合わせとして実装可能である。ハードウェアとソフトウェアとのこの可換性を明瞭に説明するために、上では一般にその機能の観点からさまざまな例示的なステップを説明した。このような機能がハードウェアとして実装されるかまたはソフトウェアとして実装されるかは、特定のアプリケーションと、全体システムに課せられる設計制約条件とに依存する。説明した機能は、特定のアプリケーション毎にさまざまな仕方で実装可能であるが、このような実装の決定は、本開示の範囲からの逸脱させるものであると解釈すべきでない。
【００４１】
ここで開示した実施形態に関連して説明したさまざまな例示的なステップ、コンポーネントおよび計算システム（装置、データベース、インタフェース、およびエンジンなど）は、ここで説明した機能を実行するように設計された汎用プロセッサ、ＤＳＰ（digital signal processor）、ＡＳＩＣ（application specific integrated circuit）、ＦＰＧＡ（field programmable gate array）もしくは別のプログラマブルロジックデバイス、ディスクリートゲートまたはトランジスタロジック、ディスクリートハードウェアコンポーネント、またはこれらの任意の組み合わせなどのマシンによって実装または実行可能である。汎用プロセッサは、マイクロプロセッサであってよいが、択一的にはプロセッサは、コントローラ、マイクロコントローラ、もしくはステートマシン、これらの組み合わせ、または同様のものであってよい。プロセッサはまた、例えば、ＤＳＰとマイクロプロセッサとの組み合わせ、複数のマイクロプロセッサ、ＤＳＰコアと組み合わされる１つ以上のマイクロプロセッサ、または別の任意のこのような構成などの計算装置の組み合わせとして実装可能である。ここでは主にデジタル技術に関連して説明したが、プロセッサはまた、主にアナログコンポーネントを含むことも可能である。計算環境は、いくつかを挙げれば、マイクロプロセッサ、メインフレームコンピュータ、デジタルシグナルプロセッサ、ポータブル計算装置、システム手帳、デバイスコントローラ、および器具内の計算エンジンなどに基づくコンピュータシステムを含む任意のタイプのコンピュータシステムを含んでいてよいが、これらには限定されない。
【００４２】
ここに開示した実施形態に関連して説明した方法、プロセスまたはアルゴリズムのステップおよびこれらのステップで使用されるデータベースは、ハードウェアにおいて、プロセッサで実行されるソフトウェアモジュールにおいて、またはこれらの２つの組み合わせにおいて直接に実現可能である。ソフトウェアモジュール、エンジンおよび関連するデータベースは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または非一時的なコンピュータ読み出し可能記憶媒体、メディア、もしくはこの技術分野において公知の物理的なコンピュータ記憶装置などの任意の別の形態などのメモリリソース内に存在していてよい。例示的な記憶媒体は、プロセッサが、この記憶媒体から情報を読み出し可能であり、この記憶媒体に情報を書き込み可能であるようにプロセッサに接続可能である。択一的な形態において、記憶媒体は、プロセッサに組み込み可能である。プロセッサおよび記憶媒体は、ＡＳＩＣ内に存在してよい。このＡＳＩＣは、ユーザ端末内に存在していてよい。択一的な形態において、プロセッサおよび記憶媒体は、ディスクリートコンポーネントとしてユーザ端末内に存在してよい。
【００４３】
ここで使用される条件付きの言い回し、すなわち数ある中のうちの「可能である（can）」、「可能性がある（might）」、「あってよい（may）」、「例えば（e.g.）」などは、特に別に指定しない限り、または使用されている文脈内において別に理解されない限り、一般に、特定の実施形態が、特定の機能、要素および／または状態を含むのに対し、他の実施形態がこれらを含まないことを伝えることを意図している。したがってこのような条件付きの言い回しは、一般に、機能、要素および／または状態が、１つ以上の実施形態にどうしても必要であることを意味することを意図してはおらず、または著者の入力または促しの有無にかかわりなく、これらの機能、要素および／または状態が含まれるか否かもしくは任意の特定の実施形態において実行されるべきか否かを決定するための論理を１つ以上の実施形態が、必ず含むことを意図していない。「構成される（comprising）」、「含む（including）」、「有する（having）」およびこれに類する用語は、同義であり、自由な流儀で包括的に使用され、また付加的な要素、機能、動作、操作などを除外しない。同様に用語「または（or）」は、（排他的な意味ではなく）包含的な意味で使用され、これにより、したがってこれが、例えば、複数の要素を１つのリストに結合するために使用される場合、用語「または（or）」は、このリストにおけるこれらの要素のうちの１つ、これらのうちのいくつか、またはすべての要素を意味する。
【００４４】
上記の詳細な説明では、さまざまな実施形態に適用されるものとして新規の機能を例示し、説明し、かつ指摘したが、本開示の精神から逸脱することなく、例示した装置またはアルゴリズムの形態および詳細において、さまざまな除外、置き換えおよび変更を行い得ることは明らかである。当然のことながら、いくつかの特徴は、別の特徴とは切り離して使用または実施できるため、ここで説明した本発明の特定の実施形態は、ここで述べた特徴および利点のすべてを有しない形態において実施可能である。
【図１Ａ】
2021502562.tif 000003
【図１Ｂ】
2021502562.tif 000004
【図２】
2021502562.tif 000005
【図３】
2021502562.tif 000006
【図４】
2021502562.tif 000007
【図５】
2021502562.tif 000008
【図６】
2021502562.tif 000009
【図７】
2021502562.tif 000010
【図８】
2021502562.tif 000011
【図９Ａ】
2021502562.tif 000012
【図９Ｂ】
2021502562.tif 000013
【図９Ｃ】
2021502562.tif 000014
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
光学スキャニング装置の熱状態にしたがい、光学スキャニング装置による座標データの測定を制御する方法であって、
前記光学スキャニング装置が実質的に熱平衡状態外にある場合には、座標データの測定に前記光学スキャニング装置を使用せず、
前記光学スキャニング装置が実質的に熱平衡状態内にある場合には、前記光学スキャニング装置が、座標データを測定できるようにする、
方法。
【請求項２】
さらに、１つ以上の位置において前記ハンドヘルド型光学スキャニング装置の温度を定期的に測定し、
少なくとも前記測定温度を使用して、前記光学スキャニング装置が実質的に熱平衡状態外にあることを判定し、
少なくとも前記測定温度を使用して、前記光学スキャニング装置が実質的に熱平衡状態内にあることを判定する、
請求項１記載の方法。
【請求項３】
さらに、少なくとも前記測定温度に基づいて、前記装置の現在の熱状態をユーザに表示する、請求項２記載の方法。
【請求項４】
さらに、前記熱状態をユーザが認識した後、前記光学スキャニング装置に座標データの測定を許可する、請求項３記載の方法。
【請求項５】
さらに、前記装置が実質的に熱平衡状態内になるまでの推定時間をユーザに表示する、請求項３または４記載の方法。
【請求項６】
さらに、少なくとも前記測定温度に基づいて、測定した座標データを調整する、請求項２から５までのいずれか１項記載の方法。
【請求項７】
前記温度が１分間の間、安定したままである場合に、前記光学スキャニング装置は実質的に熱平衡状態内にある、請求項２から６までのいずれか１項記載の方法。
【請求項８】
前記光学スキャニング装置が、電源オンされるかまたはスリープモードからウェイクアップした後、そうでなければ座標データの測定の準備が整った後、あらかじめ設定された期間の間、前記光学装置が熱平衡状態外にあるとみなす、請求項１から７までのいずれか１項記載の方法。
【請求項９】
あらかじめ設定された前記期間は、少なくとも１分である、請求項８記載の方法。
【請求項１０】
あらかじめ設定された前記期間は、少なくとも、熱平衡状態に達するまでの予想時間に基づく、請求項８または９記載の方法。
【請求項１１】
あらかじめ設定された前記期間は、少なくとも、前記装置の初期温度に基づく、請求項８から１０までのいずれか１項記載の方法。
【請求項１２】
ハンドヘルド型光学スキャニング装置を使用して座標データを測定し、温度変動を補償するために測定した座標データを調整する方法であって、
前記ハンドヘルド型光学スキャニング装置におけるプロジェクタにより、測定対象の対象体に光のパターンを投影し、
前記ハンドヘルド型光学スキャニング装置における１つ以上のカメラにより、前記光のパターンを有する前記対象体を画像化し、
前記ハンドヘルド型光学スキャニング装置における１つ以上の位置において前記ハンドヘルド型光学スキャニング装置の温度を測定し、
少なくとも、１つ以上の前記カメラからの画像および前記測定温度に基づいて前記対象体における幾何学座標を測定する、
方法。
【請求項１３】
温度の測定では、前記ハンドヘルド型光学スキャニング装置における２つ以上の位置において、前記ハンドヘルド型スキャニング装置の温度を測定する、請求項１２記載の方法。
【請求項１４】
温度の測定では、前記ハンドヘルド型光学スキャニング装置における４つ以上の位置において、前記ハンドヘルド型スキャニング装置の温度を測定する、請求項１３記載の方法。
【請求項１５】
さらに、前記座標データと、対応する測定温度との両方を格納する、請求項１２から１４までのいずれか１項記載の方法。
【請求項１６】
前記対象体における幾何学座標の測定はまた、前記測定温度と実質的に同様の温度において、前に測定した幾何学座標に少なくとも基づく、請求項１２から１５までのいずれか１項記載の方法。
【国際調査報告】
2021502562.tif 000015
2021502562.tif 000016
2021502562.tif 000017
2021502562.tif 000018